【事件の表示】
　特許第３２７４５２７号「有機発光素子とその基板」の請求項１乃至１５に係る特許に対する特許異議の申立てについて、次のとおり決定する。
【結　論】
　訂正を認める。
　特許第３２７４５２７号の請求項１乃至１３に係る特許を維持する。
【理　由】
１．手続の経緯
　本件特許第３２７４５２７号の請求項１乃至１５に係る発明についての出願は、平成５年３月１８日に特許出願され、平成１４年２月１日にそれらの発明について特許の設定登録がなされ、その後、その特許について、セイコーエプソン株式会社より特許異議申立てがなされ、これを受けて平成１５年８月２９日付けで取消理由通知がなされ、その指定期間内である平成１５年１１月１０日に訂正請求書が提出されたが、この訂正請求はその後取り下げられ、さらに、平成１６年５月２５日付けで取消理由通知がなされ、その指定期間内である平成１６年６月２５日に訂正請求書が提出されたものである。
　
２．訂正の適否
（１）訂正の内容
（a）特許請求の範囲の請求項１ないし５に記載の「透明導電層が配置され」と「その上に電極が形成された」とを、「透明導電層からなる一方の電極が配置され」と「その上に他方の電極が形成された」とに訂正する。
（b）特許請求の範囲の請求項１に記載の「該半透明反射層は発光層の背面の電極との間で光共振器」を、「前記他方の電極と前記半透明反射層との間が光共振器」と訂正する。
（c）特許請求の範囲の請求項２に記載の「該半透明反射層は発光層背面の電極との間で光共振器」を、「前記他方の電極と前記半透明反射層との間が光共振器」と訂正する。
（d）特許請求の範囲の請求項３ないし５に記載の「該半透明反射層は発光層背面の電極とで光共振器」を、「前記他方の電極と前記半透明反射層との間が光共振器」と訂正する。
（e）特許請求の範囲の請求項６，８を削除する。
（f）特許請求の範囲の請求項６(旧請求項７)に記載の「発光層背面の電極」を、「前記他方の電極」と訂正する。
（g）特許請求の範囲の請求項９，１０(旧請求項１１，１２)に記載の「請求項２〜９のいずれかに記載」と「請求項２〜１０のいずれかに記載」とを、「請求項２〜７のいずれかに記載」と「請求項２〜８のいずれかに記載」とに訂正する。
（h）特許請求の範囲の請求項１１，１３(旧請求項１３，１５)に記載の「透明導電膜を有することを特徴」を、「透明導電層からなる一方の電極を有する有機発光素子用基板であって、上部に発光層と他方の電極とを形成することにより、該他方の電極と前記半透明反射層との間が光共振器として作用するよう構成されていることを特徴」と訂正する。
（i）特許請求の範囲の請求項１２(旧請求項１４)に記載の「透明導電膜を有し」と「であることを特徴」とを、「透明導電層からなる一方の電極を有し」と「である有機発光素子用基板であって、上部に発光層と他方の電極とを形成することにより、該他方の電極と前記半透明反射層との間が光共振器として作用するよう構成されていることを特徴」とに訂正する。
（j）特許請求の範囲の請求項１３(旧請求項１５)に記載の「透明導電膜と透明絶縁膜」を、「透明導電層と透明絶縁膜」に訂正する。
　
（２）訂正の適否、新規事項の有無及び拡張・変更の存否
　　上記訂正事項（a）乃至（d）、並びに（h）及び(i)は、二つの電極の配置を明確にしたもので明りょうでない記載の釈明に該当する。また、特許明細書の段落【０００７】に記載の「発光機能を有する有機薄膜からなる発光層と、該発光層の両面に設けた反射鏡とで微小光共振器が構成され」、及び、段落【００２１】に記載の「本発明においては、透明電極と基板との間に半透明反射膜を設置し、該反射膜と背面電極との間の光学的距離を発光波長のそれと同じか、またはその整数倍としたことにより、素子内部を光の微小共振器とすることができる。」によると、「他方の電極(背面電極)と半透明反射層(膜)との間」が「光共振器」であることは明らかである。また、「他方の電極(背面電極)」と「透明導電層からなる一方の電極」とが「有機発光素子」に形成されていることも明らかである。
　上記訂正事項（e）は、請求項６及び８を削除するものであり、特許請求の範囲の減縮に相当する。
　上記訂正事項（f）は、上記訂正事項（a）乃至（d）に関連して訂正するものである。
　上記訂正事項（g）は、上記訂正事項（e）に関連して訂正するものである。
　上記訂正事項（j）は、用語を統一して、特許請求の範囲の記載を明りょうとするものである。
　以上のとおり、上記（a）〜（j）の訂正は、特許請求の範囲の減縮又は明りょうでない記載の釈明を目的とするものであり、また、上記訂正事項は、願書に添付した明細書又は図面に記載した事項の範囲内の訂正であり、実質上特許請求の範囲を拡張し、又は変更するものでもない。
　
（３）むすび
　したがって、上記訂正は、特許法第１２０条の４第２項及び第３項で準用する第１２６条第２項及び第３項に適合するので、当該訂正を認める。
　
３．特許異議申立についての判断
（１）本件発明１乃至１３
　上記２．で示したように上記訂正は認められるから、本件特許の請求項１乃至１３に係る発明（以下、「本件発明１」乃至「本件発明１３」という。）は、訂正明細書の特許請求の範囲の請求項１乃至１３に記載された次のとおりのものである。
「【請求項１】
　半透明反射層上に透明導電層からなる一方の電極が配置され、該透明導電層上に有機薄膜からなる発光層が設けられており、その上に他方の電極が形成された有機発光素子であって、
　前記半透明反射層は発光層から透明導電層方向に進んできた発光の１部を外部に透過し、発光の１部を発光層側に反射する反射機能を有し、
　前記他方の電極と前記半透明反射層との間が光共振器として作用するよう構成されていることを特徴とする有機発光素子。
【請求項２】
　透明基体上に半透明反射層を有し、該半透明反射層上に透明導電層からなる一方の電極が配置され、該透明導電層上に有機薄膜からなる発光層が設けられており、その上に他方の電極が形成された有機発光素子であって、
　前記半透明反射層は発光層での発光の１部を透明基体側に透過し、発光の１部を発光層側に反射する反射機能を有し、
　前記他方の電極と前記半透明反射層との間が光共振器として作用するよう構成されていることを特徴とする有機発光素子。
【請求項３】
　透明基体上に半透明反射層を有し、該半透明反射層上に透明導電層からなる一方の電極が配置され、該透明導電層上にホール注入層、有機薄膜からなる発光層、電子注入層が順に設けられており、その上に他方の電極が形成された有機発光素子であって、
　前記半透明反射層は発光層での発光の１部を透明基体側に透過し、発光の１部を発光層側に反射する反射機能を有し、
　前記他方の電極と前記半透明反射層との間が光共振器として作用するよう構成されていることを特徴とする有機発光素子。
【請求項４】
　透明基体上に半透明反射層を有し、該半透明反射層上に透明導電層からなる一方の電極が配置され、該透明導電層上にホール注入層、有機薄膜からなる発光層が設けられており、その上に他方の電極が形成された有機発光素子であって、
　前記半透明反射層は発光層での発光の１部を透明基体側に透過し、発光の１部を発光層側に反射する反射機能を有し、
　前記他方の電極と前記半透明反射層との間が光共振器として作用するよう構成されていることを特徴とする有機発光素子。
【請求項５】
　透明基体上に半透明反射層を有し、該半透明反射層上に透明導電層からなる一方の電極が配置され、該透明導電層上に有機薄膜からなる発光層、電子注入層が順に設けられており、その上に他方の電極が形成された有機発光素子であって、
　前記半透明反射層は発光層での発光の１部を透明基体側に透過し、発光の１部を発光層側に反射する反射機能を有し、
　前記他方の電極と前記半透明反射層との間が光共振器として作用するよう構成されていることを特徴とする有機発光素子。
【請求項６】
　前記半透明反射層と前記他方の電極との間の光学的距離が、取出す光のピーク波長の０.９〜１.１倍またはその整数倍である請求項２〜５のいずれかに記載の有機発光素子。
【請求項７】
　前記透明導電層、ホール注入層、発光層および電子注入層の各層の厚さとそれぞれの屈折率との積で表される光学的距離の和が、発光のピーク波長と同じもしくは近似している請求項３に記載の有機発光素子。
【請求項８】
　前記半透明反射層が誘電体の多層膜で構成されている請求項２〜５のいずれかに記載の有機発光素子。
【請求項９】
　前記半透明反射層が発光取出し窓を有する金属製全反射膜で構成されている請求項２〜７のいずれかに記載の有機発光素子。
【請求項１０】
　前記半透明反射層の反射率が５０〜９９.９％または透過率が５０〜０.１％である請求項２〜８のいずれかに記載の有機発光素子。
【請求項１１】
　透明基板と、その上に光の一部を透過し、一部を反射する誘電体の多層膜からなる半透明反射層を備え、該半透明反射層上に透明導電層からなる一方の電極を有する有機発光素子用基板であって、
　上部に発光層と他方の電極とを形成することにより、該他方の電極と前記半透明反射層との間が光共振器として作用するよう構成されていることを特徴とする有機発光素子用基板。
【請求項１２】
　透明基板と、その上に誘電体の多層膜からなる半透明反射層を備え、該半透明反射層上に透明導電層からなる一方の電極を有し、前記半透明反射層の反射率が５０〜９９.９％または透過率が５０〜０.１％である有機発光素子用基板であって、
　上部に発光層と他方の電極とを形成することにより、該他方の電極と前記半透明反射層との間が光共振器として作用するよう構成されていることを特徴とする有機発光素子用基板。
【請求項１３】
　透明基板と、その上に透明導電層と透明絶縁膜とを積層した半透明反射層を備え、該半透明反射層上に透明導電層からなる一方の電極を有する有機発光素子用基板であって、
　上部に発光層と他方の電極とを形成することにより、該他方の電極と前記半透明反射層との間が光共振器として作用するよう構成されていることを特徴とする有機発光素子用基板。」
　
（２）異議申立理由の概要
　異議申立人セイコーエプソン株式会社は、刊行物１乃至４を提示し、訂正前の本件発明の請求項１乃至１５に係る特許は、以下の刊行物１乃至４に記載された発明に基づいて容易に発明することができたものであって、特許法第２９条第２項の規定に違反してなされたものであり、本件特許を取り消すべきである旨主張している。
刊行物１：特開平４−１３２１８９号公報（異議申立人提示の甲第１号証）
刊行物２：”PhysicsandDeviceApplicationofOpticalMicrocavities”　SCIENCE・VOL.256・3April　1992（異議申立人提示の甲第２号証）
刊行物３：電子通信学会論文誌　’86/1　Vol.J69-C　No.1、P59-65　”半導体多層膜の反射特性の解析および面発光レーザへの応用”（異議申立人提示の甲第３号証）
刊行物４：特開平４−１５７７８６号公報（異議申立人提示の甲第４号証）
　
（３）当審の判断
　本件発明１乃至１３は、いずれも、「半透明反射層上に透明導電層からなる一方の電極が配置された有機発光素子において、「他方の電極と半透明反射層との間が光共振器として作用するように構成されていること」」を特徴とするものであるが、刊行物１〜４には、当該構成について、開示されていないばかりか、それを示唆する記載もない。本件発明１乃至１３は、その構成により明細書記載の顕著な作用効果を奏するものである。
　したがって、本件発明１乃至１３が刊行物１乃至４に記載された発明及び周知技術に基づいて容易に発明することができたものとすることはできない。
　
４．まとめ
　以上のとおりであるから、特許異議申立の理由及び証拠によっては、本件発明についての特許１乃至１３を取り消すことはできない。
　また他にこれらの特許を取り消すべき理由を発見しない。
　よって、結論のとおり決定する。
【異議決定日】
平成１６年７月２３日（２００４．７．２３）
【訂正の要旨】
審決（決定）の【理由】欄参照。
（５４）【発明の名称】
有機発光素子とその基板
（５７）【特許請求の範囲】
　【請求項１】
　半透明反射層上に透明導電層
からなる一方の電極
他方の
　前記半透明反射層は発光層から透明導電層方向に進んできた発光の１部を外部に透過し、発光の１部を発光層側に反射する反射機能を有し、
　
前記他方の電極と前記半透明反射層との間が
　【請求項２】
　透明基体上に半透明反射層を有し、該半透明反射層上に透明導電層
からなる一方の電極
他方の
　前記半透明反射層は発光層での発光の１部を透明基体側に透過し、発光の１部を発光層側に反射する反射機能を有し、
　
前記他方の電極と前記半透明反射層との間が
　【請求項３】
　透明基体上に半透明反射層を有し、該半透明反射層上に透明導電層
からなる一方の電極
他方の
　前記半透明反射層は発光層での発光の１部を透明基体側に透過し、発光の１部を発光層側に反射する反射機能を有し、
　
前記他方の電極と前記半透明反射層との間が
　【請求項４】
　透明基体上に半透明反射層を有し、該半透明反射層上に透明導電層
からなる一方の電極
他方の
　前記半透明反射層は発光層での発光の１部を透明基体側に透過し、発光の１部を発光層側に反射する反射機能を有し、
　
前記他方の電極と前記半透明反射層との間が
　【請求項５】
　透明基体上に半透明反射層を有し、該半透明反射層上に透明導電層
からなる一方の電極
他方の
　前記半透明反射層は発光層での発光の１部を透明基体側に透過し、発光の１部を発光層側に反射する反射機能を有し、
　
前記他方の電極と前記半透明反射層との間が
　【請求項
６
　前記半透明反射層と
前記他方の
　【請求項
７
　前記透明導電層、ホール注入層、発光層および電子注入層の各層の厚さとそれぞれの屈折率との積で表される光学的距離の和が、発光のピーク波長と同じもしくは近似している請求項３に記載の有機発光素子。
　【請求項
８
　前記半透明反射層が誘電体の多層膜で構成されている請求項２〜５のいずれかに記載の有機発光素子。
　【請求項
９
　前記半透明反射層が発光取出し窓を有する金属製全反射膜で構成されている請求項２〜
７
　【請求項
１０
　前記半透明反射層の反射率が５０〜９９．９％または透過率が５０〜０．１％である請求項２〜
８
　【請求項
１１
　透明基板と、その上に光の一部を透過し、一部を反射する誘電体の多層膜からなる半透明反射層を備え、該半透明反射層上に透明導電
層からなる一方の電極
有機発光素子用基板であって、
　
上部に発光層と他方の電極とを形することにより、該他方の電極と前記半透明反射層との間が光共振器として作用するよう構成されている
　【請求項
１２
　透明基板と、その上に誘電体の多層膜からなる半透明反射層を備え、該半透明反射層上に透明導電
層からなる一方の電極
有機発光素子用基板であって、
　
上部に発光層と他方の電極とを形成することにより、該他方の電極と前記半透明反射層との間が光共振器として作用するよう構成されている
　【請求項
１３
　透明基板と、その上に透明導電
層
層からなる一方の電極
有機発光素子用基板であって、
　
上部に発光層と他方の電極とを形成することにより、該他方の電極と前記半透明反射層との間が光共振器として作用するよう構成されている
【発明の詳細な説明】
　【０００１】
　【産業上の利用分野】
　本発明は、表示素子、通信用発光デバイス、情報ファイル用読／書ヘッド、印刷装置などに利用される有機発光素子に関する。
　【０００２】
　【従来の技術】
　従来の有機発光素子は、例えば、酸化錫インジウム等の透明電極を有する透明基板間に、有機発光体と電気絶縁性の結合剤とからなる発光体を介在させ、前記電極の陽極電極と発光体域との間にポルフィリン系化合物層を形成した有機エレクトロルミネセンスセルが提案されている（特開昭５７−５１７８１号公報）。該有機エレクトロルミネセンスセルは、両電極間に印加される信号電界に基づき、ポルフィリン系化合物からなる正孔注入体により正孔が注入されて、発光するものである。
　【０００３】
　【発明が解決しようとする課題】
　こうした有機薄膜を用いた発光素子は安価に提供できると云う特長を有しているが、スペクトルの半値幅が広いために用途は表示パネルに限られ、また、各材料毎に各一色の発光しか得られないため、単一材料では単色のディスプレイしか作製できなかった。
　【０００４】
　本発明の目的は、スペクトル幅と発光特性を改善した有機発光素子を提供することにある。
　【０００５】
　また、本発明の他の目的は、上記有機発光素子用の基板を提供することにある。
　【０００６】
　【課題を解決するための手段】
　前記課題を解決する本発明の要旨は次のとおりである。
　【０００７】
　（１）　発光機能を有する有機薄膜からなる発光層と、該発光層の両面に設けた反射鏡とで微小光共振器が構成され、該微小光共振器は発光可能に構成されている有機発光素子。
　【０００８】
　（２）　透明基体上に半透明反射層を有し、該半透明反射層上に透明導電層が配置され、該透明導電層上に有機薄膜からなる発光層が設けられており、その上に電極が形成された有機発光素子であって、前記半透明反射層は発光層での発光の１部を透明基体側に透過し、発光の１部を発光層側に反射する反射機能を有し、該半透明反射層は発光層背面の電極との間で光共振器として作用するよう構成されている有機発光素子。
　【０００９】
　（３）　透明基体上に半透明反射層を有し、該半透明反射層上に透明導電層が配置され、該透明導電層上にホール注入層、有機薄膜からなる発光層、電子注入層が順に設けられており、その上に電極が形成された有機発光素子であって、前記半透明反射層は発光層での発光の１部を透明基体側に透過し、発光の１部を発光層側に反射する反射機能を有し、該半透明反射層は発光層背面の電極とで光共振器として作用するよう構成されている有機発光素子。
　【００１０】
　（４）　前記半透明反射層と発光層背面の電極とで生じる反射光の位相のシフトをＡラジアンとするとき、半透明反射層と発光層背面の電極との間の光学的距離Ｌが（整数−Ａ／２π）倍〔但し、Ｓ＜（２Ｌ）＜Ｔであり、Ｓ，Ｔは、前記半透明反射層を持たない発光素子の発光スペクトルにおける発光強度が最大強度の１／２となる波長を示す。〕である前記有機発光素子。
　【００１１】
　（５）　前記半透明反射層と発光層背面の電極とで生じる反射光の位相のシフトがＡラジアンとするとき、半透明反射層と発光層背面の電極との間の光学的距離Ｌが〔取出す光のピーク波長×（整数−Ａ／２π）／２〕の長さの０．９〜１．１倍である前記有機発光素子。
　【００１２】
　例えば、共振器としての光学的距離が発光波長の２倍，３倍，…ｎ倍と整数倍の場合、または１／２，３／２，…など半整数倍の場合にも同様に共振の効果を得ることができる。
　【００１３】
　（６）　前記半透明反射層が誘電体の多層膜である前記有機発光素子。
　【００１４】
　（７）　前記透明導電層、ホール注入層、発光層および電子注入層の各層の厚さとそれぞれの屈折率との積で表される光学的距離の和が、発光のピーク波長と同じもしくは近似している前記有機発光素子。
　【００１５】
　（８）　前記半透明反射層がパターニングにより発光取出し窓を有する金属製全反射膜である前記有機発光素子。
　【００１６】
　（９）　前記半透明反射層が、反射率が５０〜９９．９％または透過率が５０〜０．１％であ前記有機発光素子。
　【００１７】
　（１０）　透明基板と、その上に光の一部を透過し、一部を反射する誘電体の多層膜からなる半透明反射層を備え、該半透明反射層上に透明導電膜を有する有機発光素子用基板。
　【００１８】
　（１１）　透明基板と、その上に誘電体の多層膜からなる半透明反射層を有し、該半透明反射層の反射率が５０〜９９．９％または透過率が５０〜０．１％である有機発光素子用基板。
　【００１９】
　（１２）　透明基板と、その上に透明導電膜と透明絶縁膜とを積層した半透明反射層を備え、該半透明反射層上に透明導電膜を有する有機発光素子用基板。
　【００２０】
　なお、前記透明基体としては、透明な石英、ガラスまたはプラスチックから選ばれる透明基板が望ましい。
　【００２１】
　【作用】
　本発明においては、透明電極と基板との間に半透明反射膜を設置し、該反射膜と背面電極との間の光学的距離を発光波長のそれと同じか、またはその整数倍としたことにより、素子内部を光の微小共振器とすることができる。それによって、発光スペクトルの半値幅が縮小される。
　【００２２】
　また、発光効率が向上し、可干渉光が発生するなど、発光特性を向上できる。
　【００２３】
　【実施例】
　〔実施例１〕
　図１は、本発明の一実施例の発光素子の構造を示す模式断面図である。
　【００２４】
　硝子基板１上に、ＴｉＯ２膜とＳｉＯ２膜とを積層した半透明反射膜２が形成されている。該半透明反射膜２上に、透明導電膜（Ｉｎｄｉｕｍ　Ｔｉｎ　Ｏｘｉｄｅ：ＩＴＯ膜）３を形成し、その上にトリフェニルジアミン誘導体（ＴＡＤ）からなるホール注入層４、アルミキレートの発光層５、オキシジアゾール誘導体（ＰＢＤ）の電子注入層６、Ａｇ−Ｍｇ金属電極７が順次形成されている。なお、透明導電膜３、ホール注入層４、発光層５および電子注入層６のそれぞれの膜厚と屈折率との積から得られる光学的距離の和は、アルミキレートのエレクトロルミネセント（ＥＬ）発光のピーク波長である５３０ｎｍと一致させる。これによって本発明の共振器が構成される。
　【００２５】
　図１において、ホール注入層４および電子注入層６は、高性能な特性を要求しない場合には必須ではなく、これらのいずれかまたは両方を省略して用いることができる。その際には、透明導電膜３からホールが注され、また、金属電極７から電子が注入され、本発明の発光素子が得られるが、ホール注入層４および電子注入層６を設けた方がより好ましい。
　【００２６】
　前記半透明反射膜２の反射率は発光層５の材料の性能と、素子の用途によって選択される。その反射率の上限は光共振器が自己破壊することなく蓄積できるエネルギーの限界により制限される。透過率で５０〜０．１％、反射率で５０〜９９．９％である。少なくとも１０μＷ／ｃｍ２の出射光を得るためには、取り出す光の透過率で０．１％よりは小さくできない。また、反射率では９９．９％が限度である。反射率を小さくし過ぎると光共振器としての性質を失うため、５０％を下廻る反射率のものを用いると、十分なスペクトル幅の減少を得ることができない。
　【００２７】
　上記において発光層５としてはアルミキレートを用いたが、ペリレン誘導体、ペリノン誘導体、ナフタレン誘導体，クマリン誘導体，オキサジアゾール，ビスベンゾキサゾリン，アルダジン，ピラジン誘導体，ジスチルベンゼン誘導体，ポリフェニル誘導体，ビススチルアントラセン誘導体，キレート金属錯体等が用いられる。
　【００２８】
　上記の有機薄膜は蒸着、塗布、化学反応による成長、ラングミュア・ブロジェット方等により作製することができる。また、複数の有機材料を混合して用いることもできる。
　【００２９】
　図２は、従来構造の有機ＥＬ素子の構造を示す模式断面図である。即ち、図１の構造から半透明反射膜２を除いた構造となっている。
　【００３０】
　図３は、図１の素子と、図２の素子の、発光スペクトルを比較したスペクトル図である。図１の素子のスペクトルＡは、図２の素子のスペクトルＢより半値幅が小さい。これは、半透明反射膜２によって、素子内部で発光を共振させることにより、共振周波数の電磁波を選択的に発生させた結果によるものである。このように、発光を共振させることにより、発光スペクトルの半値幅の減少、発光効率の向上、可干渉光の発生などの効果を得ることができる。この共振器の共振器部分の光学的な距離を発光波長により近く合わせることにより、より大きな効果を得ることができる。
　【００３１】
　図４は、上記共振器部分の光学的な距離と、発光スペクトルの半値幅の関係を示すグラフである。これは、図１の素子構造において、ホール注入層４の膜厚のみを変えた素子を用いて測定した結果で、半透明反射膜２の無い場合の半値幅を１００としている。光学的距離が発光のピーク波長と一致する５３０ｎｍ付近で最も半値幅が小さく、５３０ｎｍから外れるに従って急速に大きくなる。図３の半透明反射膜２がない素子（スペクトルＢ）では、発光強度が５３０ｎｍの発光強度の約１／２になる波長は４８０ｎｍと５８０ｎｍであることが分かる。この範囲は、図４において半値幅の減少が見られる範囲と対応している。
　【００３２】
　図５に、半透明反射膜２を有する素子から取り出される発光のピーク波長と、共振器の光学的距離との関係を示した。共振の効果として、光学的な距離が５３０ｎｍからずれると、取り出される発光もそのピーク波長が５３０ｎｍからずれると云う現象が生じる。ずれがある値以上に大きくなると、共振に由来した発光は殆ど生じなくなり、全発光のピークは半透明反射膜２のないときのピーク波長である５３０ｎｍに近づく。
　【００３３】
　図５の結果から、共振効果が得られるのは、光学的な距離が取り出される発光のピーク波長の０．９〜１．１倍の範囲にある時である。この範囲は、図４において半値幅の減少が見られる波長領域と対応している。
　【００３４】
　本実施例においては、発光層材料としてアルミニウムキレートを単体で用いたが、電子−ホール結合により発光を示す有機材料であれば、単体に限らず、混合体や積層構造でも用いることができる。
　【００３５】
　また、共振した発光を安定させるためには、素子の温度を一定に保つ機構を設けることが重要である。
　【００３６】
　素子構造や半透明反射膜２の構成材料によって、透過率および反射率の最適値が異なるが、吸収率については０に近いほど望ましい。
　【００３７】
　半透明反射膜２としては、パターニングを施し、一部に発光を取り出す窓を有する金属の全反射膜を用いることもできる。また、横方向に発光が漏れにくい素子構造とすることにより、発光特性を更に向上することができる。
　【００３８】
　本実施例では、共振器としての光学的距離が発光波長と同じ場合について説明したが、理論的には発光波長の２倍，３倍，…ｎ倍と整数倍の場合、及び１／２，３／２，…など半整数倍の場合にも同様の共振の効果を得ることができる。
　【００３９】
　また、本実施例では、上下の鏡面での反射による光の位相シフトの総計が０または１波長である場合について示しているが、金属面で１／２波長シフトし、半透明反射膜で波長シフトがない素子構成の場合は、光学的距離が発光波長の１／４，３／４，５／４、……倍の時に共振させることができる。
　【００４０】
　しかし、実際の素子においては、素子作成に由来して共振の生ずる鋭さにぼやけが生ずる。そのために上記効果は膜厚が小さいほど鋭く、倍数が大きくなるに従って共振の出方が不明瞭となるので、１０倍程度が実用上の限界である。
　【００４１】
　本実施例の構造の素子は、電荷注入により電界発光を生じさせ、また、透明基板側から照射する光により発光層に螢光を発生させて、電界発光と同様の半値幅の狭い発光スペクトルを生じさせることができる。この場合には、透明電極および発光層以外の有機薄膜は省略することも可能である。
　【００４２】
　〔実施例２〕
　図６に光励起による発光を利用した共振器素子の模式断面図を示す。
　【００４３】
　全反射金属膜８とＴｉＯ２／ＳｉＯ２の積層体からなる半透明反射膜２との間に、有機蛍光薄膜９としてアルミキレートが挾まれた構造に形成した。これに、半透明反射膜２側から波長４０６ｎｍの光を照射することにより有機蛍光薄膜９から可視光を取り出すことができる。
　【００４４】
　図７に前記有機螢光薄膜（アルミキレート）の膜厚と発光スペクトルの関係を示す。アルミキレートの膜厚により発光ピークの位置、半値幅、強度を変えることができる。また、半透明反射膜の反射特性を変えることによっても発光スペクトルの形状を変えることができる。本発明の共振器素子には、様々な電極材料、発光層材料、導電性材料を用いることができる。その場合の「共振器の長さ」の一般的な定義には高度な概念が必要になる。用いられる電極材料や発光層材料によっては、導電性材料界面の電荷蓄積による位相シフト、積層膜など反射体の反射特性に依存したシフト、また、素子の動作温度による光路変化等、素子内で生じる現象が共振器の光学的距離に寄与する場合がある。その場合は、共振の光学的距離として膜厚×屈折率から得られる幾何的な光学的距離に、これらの全ての現象を考慮して加えることで、発光波長の整数倍（あるいは半整数倍）の共振器であることを示すことができる。仮に、全ての現象が自明でないか、または、解析的でない場合でも、ミラー間の膜厚を様々に変化させた素子を作製し、共振ピークが幾何的な光学的距離の変化に対してどう変化するかを解析すれば、その勾配から、発光波長の整数倍（あるいは半整数倍）の共振器からもたらされた発光であることが分かる。
　【００４５】
　【発明の効果】
　本発明の有機発光素子は、光共振器の効果により発光スペクトルの半値幅の縮小、発光効率の向上、可干渉光の発生など発光特性を向上することができる。
　【００４６】
　上記有機発光素子は、これまでのＧａＡｓ，ＳｉＣ，ＺｎＳｅ等の無機半導体により作製されてきた発光ダイオードや半導体レーザーの代替として用いることができ、光通信素子、情報表示パネル、光記録ファイルの読み／書き用ヘッド、レーザープリンタの光ヘッドとしての利用が可能である。
【図面の簡単な説明】
　【図１】
　本発明の一実施例の発光素子の構造を示す模式断面図である。
　【図２】
　従来の発光素子の構造を示す模式断面図である。
　【図３】
　図１の素子と図２の素子との発光スペクトルの比較図である。
　【図４】
　本発明の一実施例の半透明反射膜を有する発光素子の共振器部分の光学的な距離と発光スペクトルの半値幅の関係を示すグラフである。
　【図５】
　半透明反射膜のある素子から取り出される発光のピーク波長と共振器の光学的距離との関係を示すグラフである。
　【図６】
　本発明の一実施例の発光素子の構造を示す模式断面図である。
　【図７】
　有機蛍光膜（アルミキレート）の膜厚と発光スペクトルの関係を示すスペクトル図である。
　【符号の説明】
　１…硝子基板、２…半透明反射膜、３…透明導電膜、４…ホール注入層、５…発光層、６…電子注入層、７…Ａｇ−Ｍｇ金属電極。Ａ…半透明反射膜のある素子の発光スペクトル、Ｂ…半透明反射膜のない素子の発光スペクトル、８…全反射金属膜、９…有機蛍光薄膜。